(57)【要約】【課題】本発明の目的は、ピント板検知のために専用部品を追加せず、ピント板検知機能の付加をすること。また、一回の測光により、一回のピント板検知を可能とし、従来より利便性を向上させることである。【解決手段】一眼レフカメラにおいて、ピント板（１０３）に投影される被写体像の視野領域（３０７）を形成する遮光部材（３０５）と、測光センサー（１０８）とを備えた一眼レフカメラであって、前記ピント板（１０３）のフレネル面またはマット面の、前記視野領域（３０７）の外側にあって、前記視野部（３０７）と光学特性の異なる面で形成したピント板検知パターン（４０１）と、前記遮光部材（３０５）にあって、前記ピント板検知パターン（４０１）と対向する部分に形成された、穴または切欠きのピント板検知部（３０８）と、を備えることを特徴とする構成とした。【選択図】図３
2013161010.tif 000002
【特許請求の範囲】
【請求項１】
ピント板（１０３）に投影される被写体像の、視野領域（３０７）を形成する遮光部材（３０５）と、測光センサー（１０８）とを備えた一眼レフカメラであって、
前記ピント板（１０３）のフレネル面またはマット面の、前記視野領域（３０７）の外側にあって、前記視野部（３０７）と光学特性の異なる面で形成した、ピント板検知パターン（４０１）と、
前記遮光部材（３０５）にあって、前記ピント板検知パターン（４０１）と対向する部分に形成された、穴または切欠きで形成されたピント板検知部（３０８）と、
を備えることを特徴とする一眼レフカメラ。
【請求項２】
前記ピント板検知パターン（４０１）は、フレネル面、またはマット面に対して、異なる透過率、または分光特性、または拡散特性を有した物質を付着させて形成している、請求項１に記載の一眼レフカメラ。
【請求項３】
前記ピント板検知パターン（４０１）は、フレネル面、またはマット面に対して、表面形状により、拡散特性を異ならせた面のパターンである、請求項１または請求項２に記載の一眼レフカメラ。
【請求項４】
前記交換ピント板（１０３）のフレネル面またはマット面で、前記ピント板検知部（３０８）に対向した部分に、光線を屈折させるための屈折部（１００１）を形成した、請求項１に記載の一眼レフカメラ。
【請求項５】
透過、非透過を切り替え可能な部分を形成した、透過型表示装置（３０６）を備え、
ピント板検知をしないときは、前記透過型表示装置（３０６）の、前記ピント板検知部（３０８）を遮光し、前記視野領域（３０７）を透過する。また、ピント板を検知する時は、透過型表示装置（３０６）の前記視野領域（３０７）を遮光し、前記ピント板検知部（３０８）を透過する請求項１に記載の一眼レフカメラ。
【請求項６】
前記一眼レフカメラに組み込み可能なピント板（１０３）は複数種類あり、それぞれ異なるピント板検知パターン（４０１）が形成された、請求項１に記載の一眼レフカメラおよび、ピント板（１０３）。
【請求項７】
前記測光センサー（１０８）の、測光範囲（５０３）の重心が、前記視野領域（３０７）の重心より、前記ピント板検知部（３０８）の方向に寄っている、請求項１に記載の一眼レフカメラ。
【請求項８】
ファインダ内情報表示手段（９０１）を備え、前記ピント板検知パターン（４０１）、およびピント板検知部（３０８）が、光軸方向右側、左側、背面側のうち、前記ファインダ内情報表示手段（９０１）と重複しない領域に形成された、請求項１に記載の一眼レフカメラ。
【発明の詳細な説明】
【技術分野】
【０００１】
本発明は、一眼レフカメラに関し、特に透過型表示装置を備えた一眼レフカメラのピント板検知方法に関するものである。
【背景技術】
【０００２】
一眼レフカメラの中には、撮影条件や使用者のファインダ被写界像の見えに対する好みに応じて、ピント板（焦点検出板）を交換可能としたものがある。具体的には、ファインダ視野の明るいもの、あるいはピントの山がつかみ易いもの、ピントのずれた部分のボケ味が自然なもの等、各種ピント板を交換可能としている。これらピント板の中には、その目的、種類によって拡散特性が異なるものが存在する。
【０００３】
そのため、ピント板の透過光を測光センサーにより測光し、この測光結果を基に露出制御を行って露出因子（シャッタ速度、絞り値等）を決定する一眼レフカメラにおいて、装着しているピント板の拡散特性に応じて、測光補正が必要となる場合がある。従来では、測光補正の手段として、撮影者が手動でピント板の種類をカメラに入力し、補正値を設定する方法がとられていた。
【０００４】
しかしながら、ピント板の種類（拡散特性）に応じて測光補正を手動で設定する方法では、ユーザーが設定を忘れてしまう可能性がある。その結果、正確ではない測光補正により最適な露光量での撮影ができないことがあった。
【０００５】
これに対処するために、ピント板の種類（拡散特性）に応じて、測光補正を自動的に設定するカメラが特許文献１により提案されている。これは、装着されたピント板の、拡散特性を検出する拡散特性検出手段を有するというものである。
【０００６】
また、照明装置を用いてピント板に光を照射し、その拡散光の特性を測光センサーによって検知して、ピント板の種類を判定するカメラが特許文献２により提案されている。
【先行技術文献】
【特許文献】
【０００７】
【特許文献１】特開２００６−１３９１８８号公報
【特許文献２】特開２００９−２５５９４号公報
【発明の概要】
【発明が解決しようとする課題】
【０００８】
しかしながら、上述の特許文献１に開示された従来技術では、複数回の測光をする必要がある。複数回の測光の間に被写界像が変化すると、誤検知をする恐れがあるため、複数回の測光の間には、カメラを固定するか均一光源を使用するかが必要である。そのため、利便性に問題があった。
【０００９】
また、特許文献２に開示された従来技術では、ピント板検知のためにＬＥＤなどの光源を設置する必要があるため、コストアップにつながる。また、光源のスペースや光路を確保するために、スペースが必要となるため、装置の大型化につながる。
【００１０】
そこで本発明の目的は、ピント板検知のために、専用部品を追加することなく、一回の測光でピント板検知を可能とし、利便性を向上させたピント板検知方法を提供することである。
【課題を解決するための手段】
【００１１】
上記目的を達成するために、本発明は、ピント板（１０３）に投影される被写体像の視野領域（３０７）を形成する遮光部材（３０５）と、測光センサー（１０８）とを備えた一眼レフカメラであって、前記ピント板（１０３）のフレネル面またはマット面の、前記視野領域（３０７）の外側にあって、前記視野部（３０７）と光学特性の異なる面で形成したピント板検知パターン（４０１）と、前記遮光部材（３０５）にあって、前記ピント板検知パターン（４０１）と対向する部分に形成された、穴または切欠きで形成されたピント板検知部（３０８）と、を備えることを特徴とする。
【発明の効果】
【００１２】
本発明によれば、ピント板検知のために専用部品を追加せず、ピント板検知機能の付加が可能である。また一回の測光により、一回のピント板検知が可能で、従来より利便性が向上される。
【図面の簡単な説明】
【００１３】
【図１】本発明の一眼レフカメラの断面図および背面図
【図２】本発明の一眼レフカメラのブロック図
【図３】本発明の一眼レフカメラのファインダ部のＺＹ断面図
【図４】本発明の一眼レフカメラのピント板と、遮光部材の組み合わせを示す図
【図５】本発明の一眼レフカメラの遮光部材と透過型表示装置の例を示す図
【図６】本発明の一眼レフカメラの通常撮影時、ピント板検知時の光路を示す図
【図７】本発明の一眼レフカメラのピント板検知部の位置と、測光範囲の関係を示す図
【図８】本発明の一眼レフカメラのピント板検知部の位置と、それぞれの位置における光路を示す図
【図９】本発明の一眼レフカメラのファインダ内情報表示と、情報表示装置からの光路を示す図
【図１０】本発明の一眼レフカメラのピント板に形成された屈折部を示す図
【図１１】本発明のピント板検知のフローチャート
【発明を実施するための形態】
【００１４】
以下に、本発明の好ましい実施の形態を、添付の図面に基づいて詳細に説明する。図１は本発明の実施形態にかかわる、一眼レフカメラの背面図およびＺＹ断面図である。点線はレンズからファインダへの光路を示している。ファインダ部の詳細については後述する。
【００１５】
撮影レンズ１０１によって被写体の光を集め、絞り装置１０９によって光を絞り、ミラー１０２に反射し、ピント板１０３に結像する。ピント板上の像はペンタプリズム１０４によって、光学ファインダ１０５に導かれる。撮影者は光学ファインダ１０５を覗く事により、被写体の構図を確認して撮影する事ができる。また、撮影者がレリーズボタン１１２を押すことによって、撮影動作が開始され、ミラー１０２が光軸を退避すると同時にシャッター幕１０６が開放し、撮像素子１０７に結像され、記録媒体２０９に画像データが保存される。
【００１６】
図２は、本発明に適用できる一眼レフカメラ１００の構成を示すブロック図である。
【００１７】
画像処理回路２０１は、撮像素子１０７から取得されたデータ、メモリ制御回路２０２からのデータに対して所定の画素補間処理や色変換処理を行う。
【００１８】
画像処理回路２０１においては、撮像した画像データを用いて、所定の演算処理を行い、得られた演算結果に基づいて、システム制御回路２００がＡＦ（オートフォーカス）処理、ＡＥ（自動露出）処理、ＡＷＢ（オートホワイトバランス）処理を行う。
【００１９】
メモリ制御回路２０２は、画像処理回路２０１、メモリ２０５を制御する。撮像素子１０７からのデータは、画像処理回路２０１、メモリ制御回路２０２、或いは直接、メモリ制御回路２０２を介して、メモリ２０５に書き込まれる。
【００２０】
表示部１１５は、ＴＦＴ・ＬＣＤ・有機ＥＬ等から成る表示部である。本実施例では撮影装置の背面に設置してあるが、光学ファインダ１０５及び、ペンタプリズム１０４の替わりに設置して電子ビューファインダと併用しても良い。
【００２１】
メモリ２０５は、撮影した静止画像や動画像のデータを格納し、所定枚数の静止画像データや所定時間の動画像データを格納するのに十分な記憶容量を備えている。
【００２２】
測光センサー１０８は、例えばＣＣＤなどからなり、入射した光を電気信号に変換する。変換された電気信号は、和や平均化などの処理をかけられ、さらに撮影レンズの明るさを示すＦｎｏ（実効Ｆｎｏ）の値に応じた補正、ピント板の拡散特性に対応した補正が行われて、最終的に被写界輝度信号値としての情報を得る
露光制御手段２０３は、前記被写界輝度信号値の情報から絞り装置１０９、シャッター幕１０６を制御する。
【００２３】
測距制御手段２０４は、撮影レンズ１０１のフォーカシーングを制御する。
【００２４】
システム制御回路２００は、一眼レフカメラ１００全体を制御する。
【００２５】
電源スイッチ１１０、十字キー１１４、ＡＦ指示ボタン１１１、レリーズボタン１１２、決定ボタン１１３は、システム制御回路２００の各種の動作指示を入力するための、操作手段である。
【００２６】
電源スイッチ１１０は、一眼レフカメラ１００の電源のＯＮ／ＯＦＦを指示するボタンである。
【００２７】
電源部２０６は、乾電池やリチウムイオン電池などからなる電源２０７と、電源コネクタ２０８からなり、システム制御回路２００の制御に基づき、一眼レフカメラ１００に電流を供給する。
【００２８】
十字キー１１４は、シャッター速度、絞り値、ＩＳＯ感度などの、撮影条件を設定したり、表示部１１５に表示されるメニュー画面で、項目の選択に使用する操作部材である。
【００２９】
ＡＦ指示ボタン１１１は、ＡＦ（オートフォーカス）処理、ＡＥ（自動露出）処理、ＡＷＢ（オートホワイトバランス）処理等の、動作開始を指示するボタンである。
【００３０】
レリーズボタン１１２は、２段スイッチとなっており、操作途中で第１段階のスイッチが入り、ＡＦ（オートフォーカス）処理、ＡＥ（自動露出）処理、ＡＷＢ（オートホワイトバランス）処理等の、動作開始を指示するボタンである。
【００３１】
レリーズボタン１１２は、操作完了で第２段階のスイッチがＯＮとなり、撮像素子１０７から読み出した信号を、メモリ制御回路２０２を介して、メモリ２０５に画像データを書き込む指示する。同時に、記録媒体２０６に画像データを書き込む記録処理を指示するボタンである。
【００３２】
決定ボタン１１３は各種選択を行った際に、選択を決定するためのボタンである。
【００３３】
インタフェース２１２は、コネクタ２１１を介して、メモリカードやハードディスク等の記録媒体２０９と、一眼レフカメラ１００との通信をするために使用する。
【００３４】
記録媒体２０９は、コネクタからの画像データを、記録媒体２０９内部の記録部２１０に書き込む。
【００３５】
以下、図３、図４、図５、図６を参照して、本発明の実施例による、ピント板検知方法について説明する。
【００３６】
図３は、本発明の実施形態におけるファインダ部とミラーのＹＺ断面図である。
【００３７】
レンズ１０１の中心より入射した被写界光線３０１は、ミラー１０２で反射され、ピント板１０３の中心に、被写界像として一次結像される。ピント板１０３とペンタプリズム１０４の間には、遮光部材３０５が設置されている。被写界視野と同等の開口部により、ファインダ像と撮影画像とを合わせるために使用される。撮影者は、この遮光部材３０５の開口部を視野領域３０７として、構図やピントの確認等に利用する。
【００３８】
遮光部材３０５とペンタプリズム１０４の間には、透過型表示装置３０６が設置されていて、測距点、測距範囲の表示、いわゆるスーパーインポーズなどの視野内表示装置として使用される。
【００３９】
透過型表示装置３０６は例えば高分子分散液晶などからなっており、システム制御回路２００により、電極パターンにかかる電圧を制御することで、電極パターン部分の透過、非透過を切り替えることが可能となっている。本実施例においては、透過型表示装置３０６に高分子分散液晶を用いるものとしたが、特定部分を独立して透過、非透過切り替え可能なデバイスであればその種類は問わないものとする。
【００４０】
ピント板１０３に一次結像した被写界像からは、主光線３０２と拡散光が発生する。撮影者は、この被写界像から発せられる主光線３０２を、ペンタプリズム１０４、ファインダ１０５を通じて見ることができる。拡散光のうち、角度β１で拡散された拡散光３０２β１は、ペンタプリズム１０４、測光レンズ３０３を通過して、測光センサー１０８に入射する。
【００４１】
レンズ１０１の下端より入射した被写界光線３０３は、ミラー１０２で反射され、ピント板１０３上の視野領域３０７の外側に、被写界像が一次結像される。
【００４２】
本実施例においては、遮光部材３０５の一部に、ピント板検知部３０８の穴が形成されている。ピント板検知部３０８からは、主光線３０４および拡散光が通過する。拡散光のうち、角度β２で拡散された拡散光３０４β２は、ペンタプリズム１０４、測光レンズ３０３を通過して、測光センサー１０８に入射する。３０２β１、３０４β２のような光線は、やぶにらみ光線と呼ばれ、カメラの測光光学系を構成する際に、従来から広く利用されている。
【００４３】
測光センサー１０８は、被写界像から発生したやぶにらみ光線を検知し、画像処理回路２０１の処理を経て、被写界輝度信号値を決定する。
【００４４】
一眼レフカメラ１００は、この被写界輝度信号値の情報に基づいて、被写界に対する最適露出演算を行い、シャッタースピード、絞り、ＩＳＯ感度などの露出パラメータを好ましい設定にすることができる。
【００４５】
図４のａ、ｂは、本発明の実施の形態における遮光部材３０５と、２種類のピント板１０３ｐ、１０３ｑを、Ｙ方向より眺めた図である。
【００４６】
遮光部材３０５には、視野領域３０７の穴が開いており、視野領域から被写体方向（図１、Ｚ方向）に、ピント板検知部３０８が形成されている。ピント板検知部３０８は、視野領域３０７とつながっている切欠き形状でも良いし、本実施例のように、穴形状であっても良いし、穴と切欠きの組み合わせ、さらには複数に分割されていてもよく、その形状や数は特に限定されない。
【００４７】
図４に示されるように、ピント板１０３ｐ、１０３ｑには、遮光部材３０５の、ピント板検知部３０８と対向する部分に、ピント板検知パターン４０１ｐ、４０１ｑが形成されている。これらのピント板１０３ｐ、１０３ｑと、遮光部材３０５と組み合わせると、ピント板判定パターン４０２ｐ、４０２ｑが現れる。
【００４８】
図５のａ、ｂは、本発明の実施の形態における、遮光部材３０５、透過型表示装置３０６をＹ方向より眺めた図である。
【００４９】
本実施例において、透過型表示装置３０６は、２つの電極パターン５０１、５０２を有しており、それぞれ独立して、透過、非透過を切り替えることが可能である。本実施例では電極パターン５０１、５０２をそれぞれ単一の電極としたが、それぞれを、複数の電極の組み合わせで実行してもよく、電極の数、形状は本実施例によって限定はされない
図５ｂは、本実施例における、測光範囲５０３と、ピント板検知部３０８との関係を示している。測光範囲５０３は、ピント板１０３上で、測光センサー１０８が像を検知可能な範囲を示している。本実施例においては、測光範囲５０３はピント板検知部３０８を含んでいる必要がある。その方法として例えば測光センサー１０８を、ピント板検知部３０８の方向にずらす方法が考えられる。
【００５０】
図６のａ、ｂは、本発明の通常撮影時と、ピント板検知時における、透過型表示装置３０６の、電極５０１と５０２の透過、非透過の切り替えを示す図である。図示にはピント板１０３ｐを使用した。
【００５１】
図６のａは、通常撮影時のファインダ部の光路をＺ方向より眺めた図と、その時の視野を示す図である。通常撮影時は、システム制御回路２００は、透過型表示装置３０６の電極５０２を非透過状態とし、電極５０１を透過状態する。これにより、撮影者にはピント板検知部３０８を不可視にしながら、視野領域３０７を可視とすることが可能である。
【００５２】
図６のｂは、ピント板検知時のファインダ部の光路をＺ方向より眺めた図と、その時の視野を示す図である。ピント板検知時は、システム制御回路２００は、透過型表示装置３０６の電極５０１を透過状態とし、電極５０２を非透過状態とする。これにより、測光センサー１０８は、ピント板検知部３０８に現れる、ピント板判定パターン４０２ｐを検出することが可能となる。
【００５３】
以下では、本発明のピント板検知方法において、ピント板検知部３０８の好ましい設置位置について、図７のように視野枠３０５を８つの領域７０１ａ、ｂ、ｃ、ｄ、Ｆ、Ｌ、Ｒ、Ｂに分割して説明する。
【００５４】
ピント板検知部３０８の位置が、視野枠３０５の角部の領域７０１ａ、ｂ、ｃ、ｄにあった場合、測光範囲はそれぞれ５０３ａ、ｂ、ｃ、ｄのようになる。遮光部材３０５上の外側にある測光範囲は、測光には無効な領域となるため、ピント板検知部３０８は、遮光部材３０５の角部の領域、７０１ａ、ｂ、ｃ、ｄではなく、領域７０２Ｆ、Ｌ、Ｒ、Ｂのいずれかにあることが望ましい。
【００５５】
次に、ピント板検知部が、７０２Ｆ、Ｌ、Ｒ、Ｂのいずれにある場合が望ましいかを、図８、図９のａ、ｂを用いて説明する。
【００５６】
図８は、７０２Ｆ、Ｌ、Ｒ、Ｂにピント板検知部を設けたときの、測光センサー１０８への光路を示している。７０２Ｆ、Ｂでは、ピント板１０３から発生する、やぶにらみ光線はＺ方向に傾斜している。そのため、７０２Ｆにピント板検知部３０８を設けた場合、ペンタプリズム１０４の面８０１によって、けられてしまう可能性があり、ペンタプリズム１０４を大型化しなくてはならない可能性がある。７０２Ｂにピント板検知部３０８を設けた場合、ペンタプリズム１０４の面８０２によりけられる可能性はない。
【００５７】
７０２Ｌ、７０２Ｒでは、ピント板１０３から発生するやぶにらみ光線は、ペンタプリズム１０４中心方向に傾斜しているため、ペンタプリズム１０４の面８０３、８０４によって、けられる可能性はない。
【００５８】
そのため、ピント板検知部３０８は領域７０２Ｌ、７０２Ｒ、７０２Ｂのいずれかに設置されることが望ましい。
【００５９】
また、一眼レフカメラ１００は、ファインダに情報表示手段９０１を設置して、ユーザがファインダ１０５を覗いた時に、露出、測光モード、電池残量、撮影モード、ＩＳＯ感度等各種情報を確認可能にしている。図９を用いて、ファインダ内の情報表示手段９０１と、ピント板検知部３０８との関係について説明する。
【００６０】
図９のａは、ファインダ１０５の、被写界視野下方に情報表示をする場合の、ファインダ内光路を図示している。情報表示素子９０１ａから発せられた光は、情報表示プリズム９０１ｂ内部を反射し、ペンタプリズム１０４に入射し、ファインダ１０５の被写界視野３０７の下方に到達する。このとき、情報表示手段９０１は、領域７０２Ｂと重なるため、ファインダ１０５の被写界視野下方に情報表示をする場合は、７０２Ｌまたは７０２Ｒにピント板検知部３０８を設置することが望ましい。
【００６１】
図９のｂは、ファインダ１０５の、被写界視野右側に情報表示をする場合の、ファインダ内光路を示している。光路についての説明は、図９のａの説明と重複するため省略する。このとき、情報表示手段９０１は、領域７０２Ｌと重なるため、ファインダ内の被写界視野右側に情報表示をする場合は、７０２Ｒまたは７０２Ｂにピント板検知部３０８を設置することが望ましい。
【００６２】
ファインダ１０５の被写界視野左側に情報表示をする場合は、ピント板検知部３０８を７０２Ｌまたは７０２Ｂに配置することが望ましい。理由に関しては、図９のｂの説明と重複するため省略する。
【００６３】
以上の説明より、ピント板検知部３０８は、領域７０２Ｌ、７０２Ｒ、７０２Ｂのうち、ファインダ内の情報表示手段９０１と重複しない場所に設置されることが望ましい。
【００６４】
以上の実施例に示した構成で、本発明のピント板検知は可能であるが、測光センサー１０８は光量が不足すると、検知不可となる。そのため測光センサーへの光量を、できるだけ大きくすることが望ましい。そこで図１０で示されるように、ピント板１０３の表面のうち、ピント板検知部３０８と重なり、かつピント板検知パターンが形成されていない部分に、屈折部１００１を形成することが望ましい。
【００６５】
ここで、ピント板１０３を理想的な屈折媒体とし、屈折部１００１のピント板表面に対する角度をα、やぶにらみ角をβ、ピント板１０３の比屈折率をｎとすると、スネルの法則より、αが以下の関係を満たすときに測光センサー１０８へ届く光量が最大となる。ここでβはペンタプリズム１０４、測光レンズ３０３、測光センサー１０８、ピント板１０３などによる幾何学、光学的な関係から算出される。
【００６６】
ｎ×ｓｉｎα＝ｓｉｎ（α＋β）
次に、図１１のフローチャートを用いて、本実施例におけるピント板検知のフローの一例について説明する。本実施例では、一眼レフカメラ１００は電源がＯＮになると自動的にＳ１０１に進み、ピント板検知のフローを開始する。ここで電源ＯＮは、一眼レフカメラ１００のオートパワーオフからの復帰も含むものとする。電源がＯＮになると、測光センサー１０８は一回の測光を実施し、視野領域３０７の光量を測定する。光量が閾値を超えていて、ピント板検知が可能と判断した場合、Ｓ１０２に進む。光量が閾値を下回り、ピント板検知が不可能と判断した場合、Ｓ１０８に進む。Ｓ１０８では、ピント板検知に必要な条件が整っていないため、一定時間待機してから、再度Ｓ１０１に進んでピント板検知を再開する。Ｓ１０２では、透過型表示装置３０６の電極５０２を透過状態にし、ピント板検知部３０８の測光を行い、ピント板の種類を判定し、Ｓ１０３に進む。Ｓ１０３では、あらかじめ一眼レフカメラ１００に登録されているピント板の種類と、Ｓ１０２で検知したピント板の種類とを比較し、一致していればピント板検知を終了し、一致していなければＳ１０４に進む。Ｓ１０４では、表示部１１５に一眼レフカメラ１００に登録してあるピント板と、装着されているピント板が異なる可能性があることを示す、ピント板警告表示１１０１を点灯させる。本実施例においては、電源ＯＮされるとＳ１０４まで自動的にフローが進むことになるが、一眼レフカメラ１００の動作時間としては数ｍｓｅｃ程度で完了できるため、ユーザに煩わしさを感じさせることはない。ユーザがピント板警告表示１１０１に気がつき、十字キー１１４でこのピント板警告表示を選択し、決定ボタン１１３を押すとＳ１０５に進む。Ｓ１０５では、登録済のピント板が表示され、正しいを選択するとピント板検知は終了し、正しくないを選択するとＳ１０６へ進む。Ｓ１０６では、検知したピント板が表示され、正しいを選択するとピント板検知は終了し、正しくないを選択するとＳ１０７へ進む。Ｓ１０７では、ピント板情報の登録を手動で行い、ピント板検知を終了する。以上が本実施例の基本的なフローとなるが、レリーズスイッチ１１２の操作など、所定の操作を割り込み処理開始の条件とし、割り込みが入った場合は、本実施例のピント板検知のフローを抜け、撮影モードを開始するようにしてもよい。
【００６７】
以上のフローにより、本発明のピント板検知により、正しいピント板情報を登録しておくことが可能になる。本実施例においては、ピント板検知フローの開始を電源ＯＮされた時としたが、例えば電源ＯＮから一定時間後としたり、一眼レフカメラ１００に所定の操作が行われた時、またその操作完了から一定時間後としたりしてもよい。
【００６８】
以上の構成で、ピント板検知のための専用部品を追加することなく、ピント板検知が可能となる。また、Ｓ１０２に示されるように、一回の測光で、一回のピント板検知が可能となる。
【００６９】
以上、本発明の好ましい実施形態について説明したが、本発明はこれらの実施形態に限定されず、その要旨の範囲内で種々の変形及び変更が可能である。
【符号の説明】
【００７０】
１０３  ピント板
１０８  測光センサー
３０５  遮光部材
３０６  透過型表示装置
３０７  視野領域
３０８  ピント板検知部
４０１  ピント板検知パターン
５０３  測光範囲
１００１  屈折部
【図１】
2013161010.tif 000003
【図２】
2013161010.tif 000004
【図３】
2013161010.tif 000005
【図４】
2013161010.tif 000006
【図５】
2013161010.tif 000007
【図６】
2013161010.tif 000008
【図７】
2013161010.tif 000009
【図８】
2013161010.tif 000010
【図９】
2013161010.tif 000011
【図１０】
2013161010.tif 000012
【図１１】
2013161010.tif 000013